(57)【要約】【課題】本考案による、一対の弾性変形可能な針状止め具と基体部と本体固定部吸盤体により、取り付け面に敷物等に、永続的且つ、安定的、且つ、安全に圧着出来、且つ脱着も容易に繰り返す事が出来る事を課題とする、絨毯、カーペット敷物等固定具を提供する。【解決手段】本考案による、一対の弾性変形可能な針状止め具と基体部と本体固定部吸盤体により敷物等と上記本体固定部吸盤体の双方を一端に谷形部、山形部を設けた前記、弾性変形可能な針状止め具の持つ形状とまた、前記、本体固定部吸盤体の上部に形成された、上方に湾曲した十字形の押さえ部と、その外周に形成された円形の押さえ部の双方で、吸盤体を取り付け部に向け密着させる、且つ、梃子とバネの原理を応用し、前記敷物等と本体固定部吸盤体の双方に圧力を加え圧着させ、更に前記、弾性変形可能な針状止め具の固定部は、前記敷物等の裏部に取り付けるため、見栄えも良好であり、且つ永続的、安定的、安全に固定する事が出来る。【選択図】図１１
0003139346.tif 000002
【実用新案登録請求の範囲】
【請求項１】
一対の弾性変形可能な針状止め具の一端を基体部に固定し他端の先端部を、針状の自由端で形成し、前記自由端を近接させると共に、前記一対の弾性変形可能な針状止め具のほぼ中央から外側に向け広がった押さえ部を双方に形成し前記一対の針状止め具の押さえ部より基体部寄り下方に湾曲した谷形部を設け、又、前記一対の針状止め具の押さえ部寄り上方に湾曲した山形部を設け、前記針状止め具を敷物等の固定対象物に縫い込ませた事で、固定状態に置いて、梃子とバネの原理で、前記押さえ部を、前記敷物等の、固定対象物に圧着して、固定することが出来る事を特徴とする絨毯、カーペット、敷物等固定具。
【請求項２】
上記記載の一対の針状止め具の中央に外側に向けて広がった押さえ部を持つ事を特徴とする請求項１記載の絨毯、カーペット、敷物等固定具。
【請求項３】
上記記載の一対の針状止め具の先端針部に先端止め具、成る物を、用いて、前記先端針部の双方に取り付け、前記先端針部の双方を固定し、カバーする事を特徴とする、請求項１、２記載の絨毯、カーペット、敷物等固定具。
【請求項４】
上記、一対の弾性変形可能な、針状止め具の相手部を吸盤体とし、その本体固定部吸盤体の上部に、上記記載の基体部を挿入するための、穴部を設けた事を特徴とする請求項１、２、又は３記載の絨毯、カーペット、敷物等固定具。
【請求項５】
上記、一対の弾性変形可能な針状止め具と、上記本体固定部吸盤体を畳部又は、地面部などで実施するために円盤の底部に、折り畳み可能な針状部を、形成したことを特徴とする請求項１から３、又は４記載の絨毯、カーペット、敷物等固定具。
【請求項６】
本体固定部吸盤体の上部に、上方に向け湾曲した、十字形の押さえ部を形成したことを特徴とする請求項４、５記載の絨毯、カーペット、敷物等固定具。
【請求項７】
上記、十字形の押さえ部の外周に円形の押さえ部を形成したことを、特徴とした、請求項６記載の絨毯、カーペット、敷物等固定具。
【考案の詳細な説明】
【技術分野】
【０００１】
本考案は、永続的、且つ、安定的、且つ、安全に敷物等を固定することが出来る、絨毯、カーペット敷物等、固定具に関するものである。
以下、省略して、敷物等固定具と命名する。
【背景技術】
【０００２】
従来では、敷物等固定具は、安全ピンと単なる吸盤を組み合わせた物や、（例えば、特許文献１参照）単なる吸盤を粘着テープ等で貼り付け敷物と一体とした物や、（例えば、特許文献２参照）一角を直角とし、その裏部に単なる吸盤を装着し敷物の四隅に取り付け床部に仮設する物や、（例えば、特許文献３参照）敷物裏部に磁石面を設け、その前記磁石面の相手部に鉄製のクサビ部を設け磁力とクサビの針部で、畳面や、地面に仮設する物（例えば特許文献４参照）しかなかった。
【特許文献１】特開平７−２９８９０８号公報
【特許文献２】特開平２００２−３９１４７号公報
【特許文献３】実開平４−２３４８０号公報
【特許文献４】実開昭４９−１６０２号公報
【考案の開示】
【考案が解決しようとする課題】
【０００３】
しかしながら、安全ピンと単なる吸盤体を組み合わせた物では、敷物表面に安全ピンが完全に出てしまい、人が歩行する際、足の指などにひっかかり、最悪の状態に置いては、足の裏や指に前記安全ピンの先端針部が刺さって、怪我をする危険性があり、又、デザイン的にも見栄えが悪かった。又テープ等で単なる吸盤を貼り付け、敷物と一体にした物に置いては、吸盤の吸着力と敷物の自重のみで固定しようとしても吸盤自体が復元力を持つため、永続的且つ安定的な固定は到底望めず、洗濯時やクリーニングに出した際、吸盤の吸着力が著しく落ちてしまい敷物ごと廃棄せざるをえなくなり、不経済且つ資源の無駄又は、昨今話題になっているCO2の排出による、地球環境の破壊にも繋がる。又は一角を直角とし、その裏部に単なる吸盤を装着し、敷物の四隅に取り付け、床部に仮設する物に置いても、吸盤自体に復元力が動くため、床部の形状に左右されやすく、例えばフローリング面などには細い溝が有り、吸盤のみでは吸着せず、取付け場所を選ぶ必要が伴い且つ、永続的、且つ安定的な固定は、又、これも望めない。又、敷物裏部に磁石面を設け、その前記磁石面の相手部に鉄製の上部に円盤体が形成されたクサビ部を設け、磁石とクサビの針部で畳面や地面などに仮設する物に置いても、取り付け面が畳面か地面に限定され、応用性に乏しく、且つ、これも又、永続的、且つ、安定的な固定は望めない。
【課題を解決するための手段】
【０００４】
本考案は、本体固定部吸盤体とバネと梃子の原理を応用して、そのそれぞれを組み合わせ、一対の弾性変形可能な針状止め具、（以下省略して一対の針状止め具と命名する）成る物を考案し、前記一対の針状止め具の基体部成る、金属平板の一端に溶接等の方法を用いて前記一対の針状止め具の一端を固定し他端の先端部を針状の自由端とし、一対の針状止め具を外側に力を加えると、外側に向けて、広がり、離すと、前記、先端部が元に戻り、双方の前期、先端部が互いに近接する、針状の自由端とし、その上記記載の一対の針状止め具のほぼ中央に外側に向け広がった半月形の押さえ部を設け、前記、半円形の押さえ部の中央より少し下側に緩やかに湾曲し山形部を形成し、且つ、前記、弾性変形可能な針状止め具の前記基体部金属平板の前記一対の針状止め具と前記金属平板の固定部より少し前記、基体部寄りに緩やかに湾曲した山形部を形成し、前記一対の針状止め具を、敷物等の固定対象物に縫い込ませ、先端止め具、成る物を装着し、固定状態に置き、前記記載の本体固定部吸盤体に前記基体部吸盤体の上部に前記基体部を納める穴を設け、その穴に前記基体部を挿入する事により、前記記載の一対の針状止め具に方向性を持たせる事によって、梃子の原理とバネの原理の相互作用と前記一対の針状止め具の持つ可撓性で、本体吸盤体と、前記敷物等、固定対象物の双方に圧力をかけ、前記本体吸盤体の持つ復元力を弱らせ且つ前記、敷物等固定対象物の表部から、取り付け面に対して圧着し固定する事が出来、永続的、且つ安定的且つ安全に取り付け面の形態に捉われず取り付ける事が出来る。
【考案の効果】
【０００５】
上記記述の様に、本考案の敷物等止め具は、床面、又は、フローリング面又は畳面又はタイル面又は大理石面又は地面又は壁面等、様々な形態の取り付け面に万能に対応する事が出来る。
【０００６】
上記記載の本考案の一対の針状止め具の取り付け方式を用いた取り付け方で、実施すれば、取り付けが、かなり密着的に成り、上記記載の敷物等などが持つ固有のデザインや機能などを崩す事なく、又、見栄えも良好である。
【０００７】
上記記載の一対の針状止め具の先端針部に上記記載の、先端止め具で、上記記載の敷物等の裏側で固定するため先端針部が敷物等の表部に出る事がなく極めて安全である。
【０００８】
掃除機をかけた際にも上記記載の敷物等が、めくれ上がらず、前記敷物等を均等に掃除する事が出来るので衛生的である。
【０００９】
上記記載の敷物等に、人の足などによる、何らかの反作用がかかった場合や、上記敷物等の一角などを蹴飛ばしたりした場合にも、前記敷物等がゆがんだり、ズレたりする事を防止する事が出来る。
【００１０】
本体固定部吸盤体の上部上に向け湾曲した十字形の押さえ部を形成しその外周に円形の押さえ部を形成することによって前記本体固定部吸盤体が床面に圧着した際その上面に前記円形の押さえ部が密着し、吸盤体の持つ復元力を軽減させ継続させることが出来るので永続的且つ安定的な取り付けが出来る。
【００１１】
本考案の上記記載事項の弾性変形可能な針状止め具は、前記弾性変形可能な針状止め具の一部分しか上記記載の敷物等の表面には出ておらず、且つ前記、弾性変形可能な針状止め具を、側面から見た場合、一端が緩やかに湾曲した、上記記載の谷形部が形成されており、又その他端が緩やかに湾曲した上記記載の山形部も形成されているため、その可撓性と弾力で上記記載の敷物等表部に圧着し、前記敷物等表部に出た前記、弾性変形可能な針状止め具の一部は、付属のシリコンチューブで養生されるため、安全且つ永続的、且つ安定的に固定する事が出来る。
【００１２】
更に季節の模様替え時などに置いては、通常、上記記載の敷物等は、巻いて片付ける事が多く、前記敷物等が又、必要になる季節になる季節になり巻いて片付けてあった、前記敷物等を広げると、癖が付いている場合が多く、その癖も上記記載の本考案の敷物等固定具を用いれば、取り付け面に上記記載の本体固定部吸盤体で弾性的に取り付ける事が出来る。
【００１３】
本考案の上記記載の敷物等止め具を、一枚の上記敷物等に対して、前記敷物等止め具の数を増やせば、より一層の取り付け効果を上げる事が出来る。
【００１４】
更に大切な上記記載の敷物等でも上記記載の本考案の一対の針状止め具を用いれば、前記、一対の針状止め具の径が細く且つ、前記敷物等の裏側に上記記載の、先端止め具を用いて上記記載の一対の針状止め具の双方の先端に取り付けるため前記一対の針状止め具の反発力を押さえるため、前記敷物等に与えるダメージを最小限に食い止める事が出来又、永続的、且つ安定的且つ安全に取り付ける事が出来る。
【考案を実施するための最良の形態】
【００１５】
本考案の一対の針状止め具の一端に固定された基体部を、本体固定部吸盤体の上部に設けられた穴に前記基体部を挿入した後、敷物等の裏部から、前記一対の弾性変形可能な針状止め具の先端針部の双方を、前記敷物等の表部に向けて貫通させた後、前記先端針部から前記基体部の方向に向けて付属のシリコンチューブに挿入した後、余分なシリコンチューブをハサミなどで切り捨てた後、前記先端針部を前記敷物等の裏部に向けて貫通させ、双方の先端付近を狭持し上記、先端止め具を用いて、前記一対の弾性変形可能な針状止め具の、前記先端針部の双方を固定した後、本考案に有る、本体固定部吸盤体を取り付け様とする面に押し付け前記本体固定部吸盤体の空気を完全に押し出し固定する。
【００１６】
以下添付図面に従って、一実施例を説明する。１３部は金属平板で有り１６部は１３部を挿入するために設けられた穴である。
【００１７】
上記１６部に１３部を挿入して固定する。
【００１８】
上記１３部を挿入して固定した後、図１２の敷物等の裏部１９から、敷物等表部１８部に、上記記載の一対の針状止め具１４、１５を１８部に向けて先端部１と２を貫通させる。
【００１９】
上記貫通した１４と１５部を図６に挿入し余分な部分を切り取る。
【００２０】
１８部に出た１４と１５部の先端部１と２を１９に向け貫通し図２に先端部１と２を狭持し図２に挿入し固定する。
【００２１】
図７を２０に押し付け図７の内部の空気を完全に押し出し固定する。
【００２２】
本考案の一実施例は、上述の如き、構成から成る物であるから、具体的な構成は上記記載の一実施例に限られる物ではなく、本考案の要旨を逸脱しない範囲の設計の変更等が有っても上記本考案に含まれる事とする。
【図面の簡単な説明】
【００２３】
【図１】一対の弾性変形可能な針状止め具とその基体部。
【図２】先端止め具の拡大図。
【図３】一対の弾性変形可能な針状止め具とその基体部の上面斜視図。
【図４】図２の断面拡大図。
【図５】一対の変形可能な針状止め具の要部の側面拡大図。
【図６】付属のシリコンチューブ。
【図７】本体固定部吸盤体と上に向け湾曲した十字形の押さえ部とその外周に形成された円形の押さえ部の平面図。
【図８】図７の断面図。
【図９】付属の薄形アクリル板両面粘着テープ付き。
【図１０】畳部用折り畳み可能な針状部を形成した円盤。
【図１１】実施例を上から見た図。
【図１２】図１１の側面図。
【図１３】は、図７の上面斜視図。
【符号の説明】
【００２４】
１〜４・・・先端針部。
５、６・・・一対の弾性変形可能な針状止め具のほぼ中央に外側に向け広がった押さえ部。
７、８・・・湾曲した谷形部。
９、10・・・湾曲した山形部。
11、12・・・一対の弾性変形可能な針状止め具に設けられたコイルバネ。
13    ・・・基体部。
14、15・・・一対の弾性変形可能な針状止め具の全体。
16    ・・・本体固定部吸盤体の上部に設けられた13を挿入するための穴。
17・・・本体固定部吸盤体の上部に設けられた湾曲した十字形の押さえ部の両端。
18・・・敷物等の表部。
19・・・敷物等の裏部。
20・・・床面。
21・・・17の外周を取り巻く円形の押さえ部。
【図１】
0003139346.tif 000003
【図２】
0003139346.tif 000004
【図３】
0003139346.tif 000005
【図４】
0003139346.tif 000006
【図５】
0003139346.tif 000007
【図６】
0003139346.tif 000008
【図７】
0003139346.tif 000009
【図８】
0003139346.tif 000010
【図９】
0003139346.tif 000011
【図１０】
0003139346.tif 000012
【図１１】
0003139346.tif 000013
【図１２】
0003139346.tif 000014
【図１３】
0003139346.tif 000015
【手続補正書】
【提出日】平成19年11月29日(2007.11.29)
【手続補正１】
【補正対象書類名】明細書
【補正対象項目名】００２３
【補正方法】変更
【補正の内容】
【００２３】
【図１】一対の弾性変形可能な針状止め具とその基体部。
【図２】先端止め具の拡大図。
【図３】一対の弾性変形可能な針状止め具とその基体部の上面斜視図。
【図４】図２Ａ−Ａの断面拡大図。
【図５】一対の変形可能な針状止め具の要部の側面拡大図。
【図６】付属のシリコンチューブ。
【図７】本体固定部吸盤体と上に向け湾曲した十字形の押さえ部とその外周に形成された円形の押さえ部の平面図。
【図８】図７の断面図。
【図９】付属の薄形アクリル板両面粘着テープ付き。
【図１０】畳部用折り畳み可能な針状部を形成した円盤。
【図１１】実施例を上から見た図。
【図１２】図１１の側面図。
【図１３】は、図７の上面斜視図。
【手続補正２】
【補正対象書類名】明細書
【補正対象項目名】００２４
【補正方法】変更
【補正の内容】
【００２４】
１〜４・・・先端針部。
５、６・・・一対の弾性変形可能な針状止め具のほぼ中央に外側に向け広がった押さえ部
。
７、８・・・湾曲した谷形部。
９、10・・・湾曲した山形部。
11、12・・・一対の弾性変形可能な針状止め具に設けられたコイルバネ。
13    ・・・基体部。
14、15・・・一対の弾性変形可能な針状止め具の全体。
16    ・・・本体固定部吸盤体の上部に設けられた13を挿入するための穴。
17・・・本体固定部吸盤体の上部に設けられた湾曲した十字形の押さえ部の全端。
18・・・敷物等の表部。
19・・・敷物等の裏部。
20・・・床面。
21・・・畳部又は地面部用の折り畳み溝付き円盤。
22・・・２１に設けられた針状部の両端。
23・・・１７の外周を取り巻く円形の押さえ部。
【手続補正３】
【補正対象書類名】図面
【補正対象項目名】図２
【補正方法】変更
【補正の内容】
【図２】
0003139346.tif 000016
【手続補正４】
【補正対象書類名】図面
【補正対象項目名】図３
【補正方法】変更
【補正の内容】
【図３】
0003139346.tif 000017
【手続補正５】
【補正対象書類名】図面
【補正対象項目名】図４
【補正方法】変更
【補正の内容】
【図４】
0003139346.tif 000018
【手続補正６】
【補正対象書類名】図面
【補正対象項目名】図５
【補正方法】変更
【補正の内容】
【図５】
0003139346.tif 000019
【手続補正７】
【補正対象書類名】図面
【補正対象項目名】図７
【補正方法】変更
【補正の内容】
【図７】
0003139346.tif 000020
【手続補正８】
【補正対象書類名】図面
【補正対象項目名】図８
【補正方法】変更
【補正の内容】
【図８】
0003139346.tif 000021
【手続補正９】
【補正対象書類名】図面
【補正対象項目名】図１３
【補正方法】変更
【補正の内容】
【図１３】
0003139346.tif 000022